(57)【要約】      （修正有）【課題】履物に装着される中敷に対して足裏が前滑りすることを防止すると共に、足の縦横の各アーチが崩れること防止し、歩行時における衝撃や圧迫による爪先の痛みを軽減すると共に、外反母趾を予防することができる履物の中敷及び履物を提供する。【解決手段】靴内の底に装着され、踵部Ｋと土踏まず部Ｍと踏付け部Ｆとを有する履物の中敷１１において、土踏まず部Ｍの上表面に凸部として設けられ、土踏まず部Ｍの内縁Ｍａ側から中敷１１の幅方向の略中央部に亘って延び、かつ、中敷１１の長さ方向に沿う方向の寸法が、土踏まず部Ｍの内縁Ｍａ側から中敷１１の幅方向の中央部に向かうに従って小さくなる平面形状が横向きの山形状に形成された土踏まず保持部１３と、中敷１１の上表面にその幅方向の略中央部に凸部として設けられ、土踏まず保持部１３の踏付け部Ｆ側の部分と連なり、足の中足骨を保持するように形成された中足骨保持部１４とを備える。【選択図】図１
0003183638.tif 000002
【実用新案登録請求の範囲】
【請求項１】
履物内の底に装着され、踵部と土踏まず部と踏付け部とを有する履物の中敷において、
前記土踏まず部の上表面に凸部として設けられ、前記土踏まず部の内縁側から前記中敷の幅方向の略中央部に亘って延び、かつ、前記中敷の長さ方向に沿う方向の寸法が、前記土踏まず部の内縁側から前記中敷の幅方向の中央部に向かうに従って小さくなる平面形状が横向きの山形状に形成された土踏まず保持部と、
前記中敷の上表面にその幅方向の略中央部に凸部として設けられ、前記土踏まず保持部の前記踏み付け部側の部分と連なり、足の中足骨を保持するように形成された中足骨保持部とを備えることを特徴とする履物の中敷。
【請求項２】
前記土踏まず保持部及び前記中足骨保持部は、前記中敷に一体物として形成されていることを特徴とする請求項１記載の履物の中敷。
【請求項３】
前記踵部には、装着孔が設けられ、この装着孔に滑り止め部が取り付けられ、
前記滑り止め部は、ジェルが可撓性を有する包装体に封入されたものであり、前記踵部の上表面に露出していることを特徴とする請求項１又は２記載の履物の中敷。
【請求項４】
請求項１乃至３のいずれかに記載の履物の中敷が装着されていることを特徴とする履物。
【請求項５】
前記履物の前足部の内側に形成される前足部内空間が、小指が配置される側から親指が配置される側に向かうに従って高さ寸法が大きくなり、かつ、前記前足部内空間の高さ寸法の最も大きい部分が、前記履物の幅方向の中央部よりも親指が配置される側に形成されていることを特徴とする請求項４記載の履物。
【請求項６】
靴型の前足部の親指側角度が０°以上５°未満に形成された靴型を使用して製造されたことを特徴とする請求項４又は５記載の履物。
【請求項７】
前記履物の前足部の親指側角度が０°以上５°未満に形成されていることを特徴とする請求項４乃至６のいずれかに記載の履物。
【請求項８】
履物がハイヒール靴を含む靴であることを特徴とする請求項４乃至７のいずれかに記載の履物。
【請求項９】
踵部と土踏まず部と踏付け部とを有する中底を備える履物において、
前記土踏まず部の上表面に凸部として設けられ、前記土踏まず部の内縁側から前記中底の幅方向の略中央部に亘って延び、かつ、前記中底の長さ方向に沿う方向の寸法が、前記土踏まず部の内縁側から前記中底の幅方向の中央部に向かうに従って小さくなる平面形状が山形状の土踏まず保持部と、
前記中底の上表面にその幅方向の略中央部に凸部として設けられ、前記土踏まず保持部の前記踏み付け部側の部分と連なり、足の中足骨を保持するための中足骨保持部とを備えることを特徴とする履物。
【請求項１０】
履物がハイヒール靴を含む靴であることを特徴とする請求項９記載の履物。
【考案の詳細な説明】
【技術分野】
【０００１】
本考案は、ハイヒール靴を含む靴等の履物を履いて歩行するとき、及び立った状態でいるときに、衝撃や圧迫による爪先の痛みを軽減すると共に、外反母趾を予防することができる履物の中敷及び履物に関する。
【背景技術】
【０００２】
特に踵の高い履物を履いて歩行すると、履物に装着されている中敷又は履物の中底に対して足裏が前滑りすることがあり、更に、足の縦横の各アーチが崩れることがある。これによって、歩行時に爪先の痛みが生じたり、外反母趾の原因となることが考えられる。
【０００３】
そのため、従来より歩行時に生じる爪先の痛みを軽減すると共に、外反母趾を予防することを目的とする中敷が開示されている（例えば、特許文献１参照。）。この中敷は、上層、下層及びアーチパッドを備えている。そして、この上層及び下層は、アーチパッドを間に挟んだ状態で、面ファスナによって互いに取外し可能なように結合させることができるようになっている。
【０００４】
この中敷によると、使用者が自分の足裏に合わせて上層及び下層の間に装着されているアーチパッドの装着位置を修正することができ、これによって、足の痛みや不快感が少なくなるようにして使用することができる。
【先行技術文献】
【特許文献】
【０００５】
【特許文献１】実用新案登録３１４１４３２号公報
【考案の概要】
【考案が解決しようとする課題】
【０００６】
しかし、上記従来の中敷では、使用者が自分で足の痛みや不快感が少なくなるように、アーチパッドの装着位置を修正して使用するものであるので、このアーチパッドの装着位置が専門家の判断による適切な装着位置と相違している場合があり、そのような場合は、歩行時の爪先の痛みがひどくなったり、外反母趾の原因となることが考えられる。
【０００７】
そして、上記実用新案登録３１４１４３２号公報には、平面形状が卵形の平板状のアーチパッドが記載されているが、このようなアーチパッドでは、足の縦横の各アーチを適切な形状に保持することができないし、足裏の前滑りを確実に防止することができないので、歩行時に生じる爪先の痛みを効果的に軽減することができず、外反母趾を効果的に予防することができないと考えられる。
【０００８】
本考案は、上記のような課題を解決するためになされたものであり、履物に装着されている中敷又は履物の中底に対して足裏が前滑りすることを防止すると共に、足の縦横の各アーチが崩れること防止して、歩行時及び立った状態における衝撃や圧迫による爪先の痛みを軽減すると共に、外反母趾を予防することができる履物の中敷及び履物を提供することを目的としている。
【課題を解決するための手段】
【０００９】
本考案に係る履物の中敷は、履物内の底に装着され、踵部と土踏まず部と踏付け部とを有する履物の中敷において、前記土踏まず部の上表面に凸部として設けられ、前記土踏まず部の内縁側から前記中敷の幅方向の略中央部に亘って延び、かつ、前記中敷の長さ方向に沿う方向の寸法が、前記土踏まず部の内縁側から前記中敷の幅方向の中央部に向かうに従って小さくなる平面形状が横向きの山形状に形成された土踏まず保持部と、前記中敷の上表面にその幅方向の略中央部に凸部として設けられ、前記土踏まず保持部の前記踏み付け部側の部分と連なり、足の中足骨を保持するように形成された中足骨保持部とを備えることを特徴とするものである。
【００１０】
本考案に係る履物の中敷は、履物内の底に装着して使用することができる。この履物の中敷が装着された履物を履くと、土踏まず保持部によって足の土踏まずを所定の高さに保持することができ、歩行時及び立った状態において、足の縦アーチを適切な形状に維持することができる。そして、中足骨保持部は、足の中足骨のその幅方向の略中央部を所定の高さに保持することができ、歩行時及び立った状態において、足の横アーチを適切な形状に維持することができる。また、これら土踏まず保持部及び中足骨保持部は、足の縦横の各アーチによって形成された足裏の土踏まずを含む範囲に形成される窪みに嵌り込むことができるので、例えば踵の高い履物を履いて歩行するとき及び立った状態において、履物に装着されている中敷に対して足裏が前滑りすることを防止できる。
【００１１】
このように、この履物の中敷を履物に装着して使用すると、歩行時及び立った状態において、足の縦横の各アーチを適切な形状に維持することができ、更に、履物に装着されている中敷に対して足裏が前滑りすることを防止できるので、歩行時及び立った状態において、衝撃や圧迫による爪先の痛みを軽減すると共に、外反母趾を予防することができる。
【００１２】
この考案に係る履物の中敷において、前記土踏まず保持部及び前記中足骨保持部は、前記中敷に一体物として形成されているものとするとよい。
【００１３】
このようにすると、使用者は、この中敷を履物内に装着するだけで、つまり、使用者が土踏まず保持部及び中足骨保持部の位置を自分の足裏に合うように修正する必要がなく、簡単に爪先の痛みを効果的に軽減することができると共に、外反母趾を効果的に予防することができる。
【００１４】
この考案に係る履物の中敷において、前記踵部には、装着孔が設けられ、この装着孔に滑り止め部が取り付けられ、前記滑り止め部は、ジェルが可撓性を有する包装体に封入されたものであり、前記踵部の上表面に露出しているものとするとよい。
【００１５】
このようにすると、この中敷が装着された履物を履いた状態で、足の踵が滑り止め部に圧接して、この滑り止め部の上表面が足の踵の裏面の凸形状に対応する凹形状に変形することができる。このように、足の踵が滑り止め部の上表面に形成される窪みに嵌り込むことができるので、例えば踵の高い履物を履いて歩行したり立った状態でいるときに、履物に装着されている中敷に対して足裏が前滑りすることを防止できる。また、この滑り止め部は、歩行時に足の踵が受ける衝撃を緩衝することができる。なお、ジェルとは、ゼリー状の半固体状のものである。
【００１６】
本考案に係る履物は、この考案に係る履物の中敷が装着されていることを特徴とするものである。
【００１７】
本考案に係る履物は、本考案に係る履物の中敷が装着されており、この履物の中敷は、上記と同様の作用を奏することができる。
【００１８】
この考案に係る履物において、前記履物の前足部の内側に形成される前足部内空間が、小指が配置される側から親指が配置される側に向かうに従って高さ寸法が大きくなり、かつ、前記前足部内空間の高さ寸法の最も大きい部分が、前記履物の幅方向の中央部よりも親指が配置される側に形成されているものとするとよい。
【００１９】
このようにすると、履物を履いて歩行したり立った状態でいるときに、履物の前足部の上下の各内面が足の親指を上下から圧迫することを抑制することができ、親指の痛みを軽減することができると共に、外反母趾を予防することができる。
【００２０】
この考案に係る履物において、靴型の前足部の親指側角度が０°以上５°未満に形成された靴型を使用して製造されたものとするとよい。
【００２１】
このように形成された靴型を使用して製造された履物によると、履物を履いて歩行したり立った状態でいるときに、履物の前足部を形成する甲被の内側の側面が足の親指の側面を圧迫することを抑制することができ、その結果、親指の痛みを軽減することができると共に、外反母趾を予防することができる。
【００２２】
この考案に係る履物において、前記履物の前足部の親指側角度が０°以上５°未満に形成されているものとするとよい。
【００２３】
このようにすると、上記と同様に親指の痛みを軽減することができると共に、外反母趾を予防することができる。
【００２４】
この考案に係る履物において、履物がハイヒール靴を含む靴であるものとするとよい。
【００２５】
このように、本考案に係る履物をハイヒール靴を含む靴に適用することによって、歩行時及び立った状態において、親指の痛みを軽減することができると共に、外反母趾を予防することができるハイヒール靴を含む靴を提供することができる。
【００２６】
本考案に係る履物は、踵部と土踏まず部と踏付け部とを有する中底を備える履物において、前記土踏まず部の上表面に凸部として設けられ、前記土踏まず部の内縁側から前記中底の幅方向の略中央部に亘って延び、かつ、前記中底の長さ方向に沿う方向の寸法が、前記土踏まず部の内縁側から前記中底の幅方向の中央部に向かうに従って小さくなる平面形状が山形状の土踏まず保持部と、前記中底の上表面にその幅方向の略中央部に凸部として設けられ、前記土踏まず保持部の前記踏み付け部側の部分と連なり、足の中足骨を保持するための中足骨保持部とを備えることを特徴とするものである。
【００２７】
本考案に係る履物を履くと、土踏まず保持部によって足の土踏まずを所定の高さに保持することができ、歩行時及び立った状態において、足の縦アーチを適切な形状に維持することができる。そして、中足骨保持部は、足の中足骨のその幅方向の略中央部を所定の高さに保持することができ、歩行時及び立った状態において、足の横アーチを適切な形状に維持することができる。また、これら土踏まず保持部及び中足骨保持部は、足の縦横の各アーチによって形成された足裏の土踏まずを含む範囲に形成される窪みに嵌り込むことができるので、例えば踵の高い履物を履いて歩行するとき及び立った状態において、足裏が履物の中底に対して前滑りすることを防止できる。
【００２８】
このように、この履物によると、歩行時及び立った状態において、足の縦横の各アーチを適切な形状に維持することができ、更に、足裏が履物の中底に対して前滑りすることを防止できるので、歩行時及び立った状態における衝撃や圧迫による爪先の痛みを軽減すると共に、外反母趾を予防することができる。
【００２９】
この考案に係る履物において、履物がハイヒール靴を含む靴であるものとするとよい。
【００３０】
このように、本考案に係る履物をハイヒール靴を含む靴に適用することによって、歩行時及び立った状態において、親指の痛みを軽減することができると共に、外反母趾を予防することができるハイヒール靴を含む靴を提供することができる。
【考案の効果】
【００３１】
本考案に係る履物の中敷及び履物によると、足の縦横の各アーチを適切な形状に維持することができると共に、足裏の前滑りを効果的に防止できる土踏まず保持部及び中足骨保持部が設けられているので、歩行時及び立った状態において、爪先の痛みを効果的に軽減することができると共に、外反母趾を効果的に予防することができる。
【図面の簡単な説明】
【００３２】
【図１】（ａ）は、この考案の一実施形態に係る履物の中敷を示す平面図、（ｂ）は、図１（ａ）に示す履物の中敷を示すＡ−Ａ断面図である。
【図２】（ａ）は、図１（ａ）に示す履物の中敷を示すＢ−Ｂ端面図、（ｂ）は、図１（ａ）に示す履物の中敷を示すＣ−Ｃ端面図、（ｃ）は、図１（ａ）に示す履物の中敷を示すＤ−Ｄ端面図である。
【図３】（ａ）は、図１（ａ）に示す履物の中敷の踵部に装着される滑り止め部を示す平面図、（ｂ）は、図３（ａ）に示す滑り止め部を示すＥ−Ｅ断面図である。
【図４】図１（ａ）に示す履物の中敷の上表面に設けられている土踏まず保持部、中足骨保持部、滑り止め部が足裏に宛がわれる位置関係を示す斜視図である。
【図５】同考案の一実施形態に係る靴を示す正面図である。
【図６】図５に示す靴を製造するための靴型の斜視図である。
【図７】図６に示す靴型の平面図である。
【図８】（ａ）は、図７に示す靴型のＦ−Ｆ断面の輪郭を示す図、（ｂ）は、図７に示す靴型のＧ−Ｇ断面の輪郭を示す図である。
【図９】図５に示す靴の前足部及び中足部を形成する甲被の親指側角度θを説明するための水平断面図である。
【図１０】図６に示す靴型の前足部及び中足部の親指側角度θを説明するための平面図である。
【考案を実施するための形態】
【００３３】
以下、本考案に係る履物の中敷及び履物の一実施形態を、図１〜図１０を参照して説明する。この履物の中敷１１は、例えばハイヒール靴を含む靴１０等の履物内の底に装着されて使用するものであり、靴１０に装着されている中敷１１に対して足裏が前滑りすることを防止すると共に、足の縦横の各アーチが崩れること防止して、歩行時及び立った状態における衝撃や圧迫による爪先の痛みを軽減すると共に、外反母趾を予防することを目的とするものである。
【００３４】
この履物の中敷１１は、例えば合成樹脂製であり、図１（ａ）の平面図に示すように、足裏と対応する輪郭形状の板状の中敷本体部１２を備えている。この中敷本体部１２は、足の踵、土踏まず、及び踏付け部のそれぞれと対応する領域に形成されている踵部Ｋ、土踏まず部Ｍ、及び踏付け部Ｆを有している。この図１に示す履物の中敷１１は、左足用中敷である。
【００３５】
中敷本体部１２は、図１及び図２に示すように、土踏まず保持部１３及び中足骨保持部１４が設けられている。これら土踏まず保持部１３及び中足骨保持部１４は、中敷本体部１２に例えば一体物として形成されている。そして、中敷本体部１２の踵部Ｋには、滑り止め部１５が設けられている。
【００３６】
土踏まず保持部１３は、図１（ａ）、図２（ａ）、図２（ｂ）に示すように、土踏まず部Ｍの上表面に凸部として設けられ、土踏まず部Ｍの内縁Ｍａ側から中敷１１の幅方向の略中央部に亘って延び、かつ、中敷１１の長さ方向に沿う方向の寸法が、土踏まず部Ｍの内縁Ｍａ側から中敷１１の幅方向の中央部に向かうに従って小さくなる平面形状が左横向きの山形状に形成されている。
【００３７】
中足骨保持部１４は、図１（ａ）、図２（ａ）に示すように、中敷１１の上表面にその幅方向の略中央部に凸部として設けられ、土踏まず保持部１３の踏付け部Ｆ側の部分と連なり、足の中足骨のその幅方向の略中央部を保持するように形成されている。
【００３８】
この中足骨保持部１４を平面方向から見た縦横の各寸法は、図１（ａ）に示すように、中敷１１の中足骨保持部１４が設けられている部分の横幅の例えば約２／５程度である。
【００３９】
そして、図１（ａ）、図１（ｃ）に示すように、中敷本体部１２の踵部Ｋには、装着孔Ｋａが設けられ、この装着孔Ｋａに滑り止め部１５が取り付けられている。この滑り止め部１５は、ジェルが可撓性を有する包装体に封入されたものであり、中敷本体部１２の踵部Ｋの上表面に露出している。なお、ジェルとは、ゼリー状の半固体状のものである。そして、包装体は、例えばビニール製である。
【００４０】
次に、上記のように構成された履物の中敷１１、及びこの中敷１１が装着された靴１０の作用について説明する。図１に示す履物の中敷１１は、図５に示す靴１０内の底に装着して使用することができる。この履物の中敷１１が装着された靴１０を履くと、土踏まず保持部１３によって足の土踏まずを所定の高さに保持することができ、歩行時及び立った状態において、足の縦アーチを適切な形状に維持することができる。
【００４１】
そして、中足骨保持部１４は、足の中足骨のその幅方向の略中央部を所定の高さに保持することができ、歩行時及び立った状態において、足の横アーチを適切な形状に維持することができる。
【００４２】
また、これら土踏まず保持部１３及び中足骨保持部１４は、足の縦横の各アーチによって形成された足裏の土踏まずを含む範囲に形成される窪みに嵌り込むことができるので、例えば踵の高い靴１０を履いて歩行するとき及び立った状態において、靴１０に装着されている中敷１１に対して足裏が前滑りすることを防止できる。
【００４３】
このように、この履物の中敷１１を靴１０に装着して使用すると、歩行時及び立った状態において、足の縦横の各アーチを適切な形状に維持することができ、更に、靴１０に装着されている中敷１１に対して足裏が前滑りすることを防止できるので、歩行時及び立った状態において、衝撃や圧迫による爪先の痛みを軽減すると共に、外反母趾を予防することができる。
【００４４】
図４は、図１（ａ）に示す履物の中敷１１に設けられている土踏まず保持部１３、中足骨保持部１４及び滑り止め部１５が足裏に宛がわれる位置関係を示す斜視図である。
【００４５】
そして、図１及び図２に示すように、土踏まず保持部１３及び中足骨保持部１４は、中敷本体部１２に一体物として形成されているので、使用者は、この中敷１１を靴１０内に装着するだけで、つまり、使用者が土踏まず保持部１３及び中足骨保持部１４の位置を自分の足裏に合うように修正する必要がなく、簡単に爪先の痛みを効果的に軽減することができると共に、外反母趾を効果的に予防することができる。
【００４６】
また、図１（ａ）、図２（ｃ）に示すように、中敷１１の踵部Ｋには、装着孔Ｋａが設けられ、この装着孔Ｋａに滑り止め部１５が取り付けられているので、この中敷１１が装着された靴１０を履いた状態で、足の踵が滑り止め部１５に圧接して、この滑り止め部１５の上表面が足の踵の裏面の凸形状に対応する凹形状に変形することができる。
【００４７】
このように、足の踵が滑り止め部１５の上表面に形成される窪みに嵌り込むことができるので、例えば踵の高い靴１０を履いて歩行したり立った状態でいるときに、靴１０に装着されている中敷１１に対して足裏が前滑りすることを防止できる。
【００４８】
また、この滑り止め部１５は、緩衝部材としての機能も有している。よって、歩行時に足の踵が受ける衝撃を緩衝することができる。
【００４９】
次に、図５〜図１０を参照して、この実施形態に係る靴１０、及び靴１０を製造するための靴型１８を説明する。この靴１０は、図５の正面図に示すハイヒール靴を含む靴であり、前足部Ｐ、中足部Ｑ、及び後足部Ｒを備えている。そして、この靴１０は、当該靴１０の前足部Ｐ及び中足部Ｑの内側に形成される前足部Ｐ内空間Ｐａ及び中足部Ｑ内空間Ｑａが、小指が配置される側から親指が配置される側に向かうに従ってそれぞれの高さＨ５及びＨ６（Ｈ６は、図５には記載していないが、図８（ｂ）を参照して後述する。）の寸法が大きくなり、かつ、前足部Ｐ内空間Ｐａ及び中足部Ｑ内空間Ｑａの各高さ寸法Ｈ５、Ｈ６が最も大きい部分が、靴１０の幅方向の中央部よりも親指が配置される側に形成されている。
【００５０】
このようにすると、靴１０を履いて歩行したり立った状態でいるときに、靴１０の前足部Ｐ及び中足部Ｑの上下の各内面が、足の親指を含む前足部及び中足部を上下から圧迫することを抑制することができ、足の親指の痛みを軽減することができると共に、外反母趾を予防することができる。
【００５１】
また、この靴１０は、図９の平面方向から見た水平断面図に示すように形成され、この靴１０は、図１０の平面図に示す靴型１８によって製造されたものである。この図１０に示す靴型１８は、親指側角度θが０°以上５°未満に形成されている。この親指側角度θについては、後述する。
【００５２】
このように形成された靴型１８を使用して製造された靴１０によると、靴１０を履いて歩行したり立った状態でいるときに、靴１０の前足部Ｐを形成する甲被１７の内側の側面１７ａが足の親指の側面を圧迫することを抑制することができ、その結果、親指の痛みを軽減することができると共に、外反母趾を予防することができる。因みに、親指側角度θが５度以上になると、親指に圧迫を感じることがある。
【００５３】
次に、図６〜図１０を参照して靴型１８を説明する。この靴型１８は、図６の斜視図に示すように、靴型１８の前足部Ｓ及び中足部Ｔが、小指に相当する部分の側から親指に相当する部分の側に向かうに従って高さＨ５、Ｈ６（図８（ａ）、（ｂ）参照）の各寸法が大きくなり、かつ、前足部Ｓ及び中足部Ｔの高さ寸法Ｈ５、Ｈ６の最も大きい部分が、靴型１８の幅方向の中央部よりも親指に相当する部分の側に形成されている。図６に太い実線で示す部分が、靴型１８の前足部Ｓ及び中足部Ｔに形成されている稜線１９を示している。
【００５４】
この図６〜図８、図１０に示す靴型１８を使用して、靴型１８の外面形状及び断面形状と対応する内面形状及び断面形状の靴１０を製造することができる。
【００５５】
また、図８（ａ）、（ｂ）に示すように、この実施形態の靴型１８の内甲側部１８ａ及び外甲側部１８ｂが従来の靴型よりも多く肉付けされているので、靴１０の内甲側部及び外甲側部の空間を大きくすることができ、足の親指、内甲側部、及び外甲側部の圧迫感を低減させることができる。
【００５６】
次に、図１０に示す靴型１８の前足部Ｓ及び中足部Ｔの内甲側の側面Ｓａに設定された親指側角度θについて説明する。この親指側角度がθに形成された靴型１８を使用して製造された靴１０は、この靴型１８と同様に、その靴１０の前足部Ｐ及び中足部Ｑのそれぞれの内側の側面１７ａ（図９参照）における親指側角度がθに形成される。
【００５７】
この図９及び図１０に示す親指側角度θは、直線２０ａ、（１６ａ）と傾斜線２１とが成す角度である。直線２０ａ、（１６ａ）は、靴型１８の中心線２０、（靴１０の中心線１６）と平行する直線であり、第１の点２２を通っている。傾斜線２１は、第１の点２２と第２の点２３とを通る直線である。
【００５８】
図１０に示す第１の点２２は、第１の横線２４と、靴型１８の内甲側部の側面との交点である。そして、第１の横線２４は、第１中足骨頭部（頭の踏付け部）内甲側の最凸部を通り、靴型１８の幅方向と平行する直線である。
【００５９】
図１０に示す第２の点２３は、第２の横線２５と、靴型１８の内甲側部の側面との交点である。そして、第２の横線２５は、親指の腹の最凸部を通り、靴型１８の幅方向と平行する直線である。
【００６０】
なお、靴型１８を示す図７及び図１０には、足の図を描いてあり、このように足の図を描いてあるのは、この靴型１８によって製造される靴１０を履いたときの足と、靴型１８との位置関係を明確にするためである。
【００６１】
ただし、上記実施形態では、図１及び図２に示すように、土踏まず保持部１３及び中足骨保持部１４が中敷本体部１２に設けられた履物の中敷１１としたが、これに代えて、土踏まず保持部１３及び中足骨保持部１４を中底に設けた履物としてもよい。この履物は、ハイヒール靴を含む靴である。これ以外は、上記実施形態の図５及び図６に示す靴１０と同等であり、同等部分の詳細な説明を省略する。
【００６２】
つまり、この履物は、中底を備えており、この中底は、図１及び図２に示す中敷き１１と同様に、踵部Ｋと土踏まず部Ｍと踏付け部Ｆとを有している。そして、この中底の土踏まず部Ｍに土踏まず保持部１３が設けられている。この土踏まず保持部１３は、土踏まず部Ｍの上表面に凸部として設けられ、土踏まず部Ｍの内縁Ｍａ側から中底の幅方向の略中央部に亘って延び、かつ、中底の長さ方向に沿う方向の寸法が、土踏まず部Ｍの内縁Ｍａ側から中底の幅方向の中央部に向かうに従って小さくなる平面形状が山形状に形成されている。
【００６３】
また、中足骨保持部１４は、中底の上表面にその幅方向の略中央部に凸部として設けられ、土踏まず保持部１３の踏付け部Ｆ側の部分と連なり、足の中足骨のその幅方向の略中央部を保持できるように形成されている。
【００６４】
上記のように構成された履物を履くと、上記実施形態の中敷１１が装着された靴１０と同様に、土踏まず保持部１３によって足の土踏まずを所定の高さに保持することができ、歩行時及び立った状態において、足の縦アーチを適切な形状に維持することができる。そして、中足骨保持部１４は、足の中足骨のその幅方向の略中央部を所定の高さに保持することができ、歩行時及び立った状態において、足の横アーチを適切な形状に維持することができる。また、これら土踏まず保持部１３及び中足骨保持部１４は、足の縦横の各アーチによって形成された足裏の土踏まずを含む範囲に形成される窪みに嵌り込むことができるので、例えば踵の高い履物を履いて歩行するとき及び立った状態において、足裏が履物の中底に対して前滑りすることを防止できる。
【００６５】
このように、このハイヒール靴を含む履物によると、歩行時及び立った状態において、足の縦横の各アーチを適切な形状に維持することができ、更に、足裏が履物の中底に対して前滑りすることを防止できるので、歩行時及び立った状態において、衝撃や圧迫による爪先の痛みを軽減すると共に、外反母趾を予防することができる。
【００６６】
そして、上記実施形態では、図１及び図２に示すように、中敷本体部１２、土踏まず保持部１３及び中足骨保持部１４を備える中敷１１を一体物として形成したが、これに代えて、中敷本体部１２にこれとは別物の土踏まず保持部１３及び中足骨保持部１４を固定して取り付けたものとしてもよい。
【００６７】
また、上記実施形態では、図１（ａ）、図２（ｃ）及び図３に示すように、中敷本体部１２にこれとは別物の滑り止め部１５を取り付けた構成としたが、これに代えて、中敷本体部１２及び滑り止め部を例えば合成樹脂で一体物として形成した構成としてもよい。
【００６８】
更に、上記実施形態では、図９に示すように、靴１０の親指側角度θが０°以上５°未満となるようにしたが、これ以外の角度となるようにしてもよい。
【００６９】
そして、上記実施形態の中敷１１は、図１（ａ）、（ｂ）に示すように、中敷本体部１２の踵部Ｋに滑り止め部１５を設けたものとしたが、これに代えて、この滑り止め部１５を省略した中敷きとしてもよい。よって、中敷１１の踵部Ｋを中敷本体部１２と同一の材質とし、板状に形成してもよい。
【産業上の利用可能性】
【００７０】
以上のように、本考案に係る履物の中敷及び履物は、履物に装着されている中敷又は履物の中底に対して足裏が前滑りすることを防止すると共に、足の縦横の各アーチが崩れること防止して、歩行時及び立った状態における衝撃や圧迫による爪先の痛みを軽減すると共に、外反母趾を予防することができる優れた効果を有し、このような履物の中敷及び履物に適用するのに適している。
【符号の説明】
【００７１】
１０  靴（履物）
１１  履物の中敷
１２  中敷本体部
１３  土踏まず保持部
１４  中足骨保持部
１５  滑り止め部
１６  靴の中心線
１６ａ  靴の中心線と平行する直線
１７  靴の甲被
１７ａ  甲被の内側の側面
１８  靴型
１８ａ  靴型の内甲側部
１８ｂ  靴型の外甲側部
１９  靴型の稜線
２０  靴型の中心線
２０ａ  靴型の中心線と平行する直線
２１  靴型の傾斜線
２２  第１の点
２３  第２の点
２４  第１の横線
２５  第２の横線
２６  従来の靴型
Ｋ  中敷の踵部
Ｋａ  装着孔
Ｍ  中敷の土踏まず部
Ｍａ  土踏まず部の内縁
Ｆ  中敷の踏付け部
Ｐ  靴の前足部
Ｐａ  靴の前足部内空間
Ｑ  靴の中足部
Ｑａ  靴の中足部内空間
Ｒ  靴の後足部
Ｓ  靴型の前足部
Ｓａ  靴型の前足部の側面
Ｔ  靴型の中足部
【図１】
0003183638.tif 000003
【図２】
0003183638.tif 000004
【図３】
0003183638.tif 000005
【図４】
0003183638.tif 000006
【図５】
0003183638.tif 000007
【図６】
0003183638.tif 000008
【図７】
0003183638.tif 000009
【図８】
0003183638.tif 000010
【図９】
0003183638.tif 000011
【図１０】
0003183638.tif 000012